(57)【特許請求の範囲】
【請求項１】
印刷が行われる記録媒体のエッジを検出するエッジ検出装置であって、
自己の検出領域に前記記録媒体がある場合に第１レベルの信号を出力し、該検出領域に該記録媒体がない場合に該第１レベルと異なる第２レベルの信号を出力するセンサと、
前記センサの検出領域が前記記録媒体のエッジを横切るように、前記センサを搬送する搬送部と、
前記センサが前記エッジを横切る時の前記センサの前記第２レベルの信号から前記第１レベルの信号への変化を時間微分し該時間微分した信号を増幅すると共にバンドパスフィルタに通し、該バンドパスフィルタを通過した信号が所定の電圧より大きい場合に変化検知信号を出力する出力発生部と、
前記搬送部に備えられ、前記搬送部の移動方向に沿って備えられたリニアスケールの検出溝を検出してカウント値を出力するリニアセンサと、
前記出力発生部が出力した前記変化検知信号に同期して前記カウント値を格納し、該格納された前記カウント値に基づいて前記記録媒体のエッジの位置を検出する制御部と、を含むエッジ検出装置。
【請求項２】
請求項１に記載のエッジ検出装置において、
前記搬送部に対向する位置に前記記録媒体を吸引し固定するプラテンを有する、エッジ検出装置。
【請求項３】
請求項１に記載のエッジ検出装置と、
記録媒体の搬送を行う機構と、
前記記録媒体に印刷を行う印刷ヘッドと、を含むプリンタ装置。
【請求項４】
自己の検出領域に印刷が行われる記録媒体がある場合に第１レベルの信号を出力し、該検出領域に該記録媒体がない場合に該第１レベルと異なる第２レベルの信号を出力するセンサを含むエッジ検出装置が行うエッジ検出方法であって、
前記センサの検出領域が前記記録媒体のエッジを横切るように、前記センサを搬送する搬送ステップと、
前記センサが前記エッジを横切る時の前記センサの前記第２レベルの信号から前記第１レベルの信号への変化を時間微分し、該時間微分した信号を増幅すると共にバンドパスフィルタに通し、該バンドパスフィルタを通過した信号が所定の電圧より大きい場合に変化検知信号を出力する出力発生ステップと、
前記エッジ検出装置は、前記センサを搬送する搬送部と、前記搬送部の移動方向に沿って配置されたリニアスケールと、前記リニアスケールの検出溝を検出してカウント値を出力するリニアセンサと、を備え、前記変化検知信号に同期して前記カウント値が格納され、該格納された前記カウント値に基づいて前記記録媒体のエッジの位置を検出する検出ステップと、を含むエッジ検出方法。
【請求項５】
記録媒体の搬送を行う機構と、前記記録媒体に印刷を行う印刷ヘッドと、を含むプリンタ装置が行う印刷制御方法であって、
請求項４に記載のエッジ検出方法によって前記記録媒体のエッジの位置を検出するステップと、
前記エッジの位置の検出に基づいて前記印刷ヘッドの動作を制御する制御ステップと、を含む印刷制御方法。
【発明の詳細な説明】
【技術分野】
【０００１】
本発明は、エッジ検出装置、プリンタ装置、エッジ検出方法および印刷制御方法に関し、例えば、用紙送り方向と直交する方向に印刷ヘッドを走査させながら印刷を行っていくプリンタ装置および印刷制御方法と、このようなプリンタ装置において用紙のエッジを検出するエッジ検出装置およびエッジ検出方法に関する。
【背景技術】
【０００２】
従来、記録媒体である記録用紙を縦方向に間歇的に送っていくとともに、印刷ヘッドを横方向にスキャン（走査）させながら印刷を行っていくインクジェットプリンタが知られている。
【０００３】
このプリンタには、記録用紙の横幅を検出したり、記録用紙の横方向のズレ（スキュー）を検出したりするために、プラテン上にセットされた記録用紙の左右のエッジを検出するエッジ検出装置が設けられている（特許文献１（特開２００２−１２７５２１号公報）参照）。
【０００４】
ここで、従来のエッジ検出装置について簡単に説明する。
【０００５】
エッジ検出装置には、反射型フォトマイクロセンサなどのエッジ検出用フォトセンサが、プラテンと対向するように、キャリッジに設けられている。
【０００６】
エッジ検出装置は、フォトセンサが、プラテン上にセットされた記録用紙と対向する状態で記録用紙のエッジを横切るように、キャリッジを横方向にスキャンさせ、記録用紙の反射光量と記録用紙から外れた位置にあるプラテン上の無反射テープの反射光量との違いによりフォトセンサのセンサ出力が所定のしきい値以下に変化した点を、記録用紙のエッジとして検出していた。
【０００７】
具体的には、エッジ検出装置内のＣＰＵが、フォトセンサのセンサ出力を所定周期（例えば、１０ｍｓ周期）で取得し、そのセンサ出力と所定のしきい値とを比較して、記録用紙のエッジを検出していた。
【特許文献１】特開２００２−１２７５２１号公報
【発明の開示】
【発明が解決しようとする課題】
【０００８】
従来の方式では、フォトセンサのセンサ出力が所定周期（例えば、１０ｍｓ周期）で取得されていたため、キャリッジの移動速度が速くなるにつれて、所定周期の間にフォトセンサが移動する距離が長くなる。よって、キャリッジの移動速度が速くなるにつれて、エッジの検出精度が低下してしまう。
【０００９】
このため、従来のエッジ検出装置付きプリンタは、記録用紙のエッジを検出する際、キャリッジの移動速度を印字時の移動速度より遅くして、エッジ検出の精度を保っていた。よって、印字中に高速でキャリッジを移動しながらエッジ検知を行うことができず、スループットの低下とチェック頻度の低下が生じていた。
【００１０】
また、プラテン上の無反射テープでの反射光の受光レベルと、記録用紙での反射光の受光レベルとを、受光レベルそのものでしきい値と比較するため、これらの受光レベル差が小さいと（例えば、記録用紙がトレーシングペーパの場合）、それらの受光レベルとしきい値との差が小さくなり、記録用紙のエッジ検出が正確に行えなくなってしまう。
【００１１】
また、センサ自体に感度ばらつきがあり、これを吸収するためにセンサの発光電流を可変とすると、発光電流を選択するのに時間がかかってしまう。
【００１２】
本発明の目的は、エッジ検出の高速化および高精度化が可能なエッジ検出装置、プリンタ装置、エッジ検出方法および印刷制御方法を提供することである。
【課題を解決するための手段】
【００１３】
上記目的を達成するために、本発明のエッジ検出装置は、印刷が行われる記録媒体のエッジを検出するエッジ検出装置であって、自己の検出領域に前記記録媒体がある場合に第１レベルの信号を出力し、該検出領域に該記録媒体がない場合に該第１レベルと異なる第２レベルの信号を出力するセンサと、前記センサの検出領域が前記記録媒体のエッジを横切るように、前記センサを搬送する搬送部と、前記センサが前記エッジを横切る時の前記センサの前記第２レベルの信号から前記第１レベルの信号への変化を時間微分し該時間微分した信号を増幅すると共にバンドパスフィルタに通し、該バンドパスフィルタを通過した信号が所定の電圧より大きい場合に変化検知信号を出力する出力発生部と、前記搬送部に備えられ、前記搬送部の移動方向に沿って備えられたリニアスケールの検出溝を検出してカウント値を出力するリニアセンサと、前記出力発生部が出力した前記変化検知信号に同期して前記カウント値を格納し、該格納された前記カウント値に基づいて前記記録媒体のエッジの位置を検出する制御部と、を含む。
【００１４】
また、本発明のエッジ検出方法は、  自己の検出領域に印刷が行われる記録媒体がある場合に第１レベルの信号を出力し、該検出領域に該記録媒体がない場合に該第１レベルと異なる第２レベルの信号を出力するセンサを含むエッジ検出装置が行うエッジ検出方法であって、前記センサの検出領域が前記記録媒体のエッジを横切るように、前記センサを搬送する搬送ステップと、前記センサが前記エッジを横切る時の前記センサの前記第２レベルの信号から前記第１レベルの信号への変化を時間微分し、該時間微分した信号を増幅すると共にバンドパスフィルタに通し、該バンドパスフィルタを通過した信号が所定の電圧より大きい場合に変化検知信号を出力する出力発生ステップと、前記エッジ検出装置は、前記センサを搬送する搬送部と、前記搬送部の移動方向に沿って配置されたリニアスケールと、前記リニアスケールの検出溝を検出してカウント値を出力するリニアセンサと、を有し、前記変化検知信号に同期して前記カウント値が格納され、該格納された前記カウント値に基づいて前記記録媒体のエッジの位置を検出する検出ステップと、を含む。
【００１５】
上記発明によれば、記録媒体のエッジは、変化検知信号に基づいて検出される。
【００１６】
変化検知信号は、センサが出力した信号のレベルが変化したときに出力される。このため、センサが記録媒体を検出したときと検出していないときとの、センサの出力信号のレベル差が小さくても、センサが記録媒体のエッジを検出したときに、変化検知信号は出力される。よって、従来、センサの出力信号のレベル差が小さいために検出できなかった記録媒体のエッジを検出することが可能になる。
【００１７】
また、センサの出力信号のレベルは、センサの検出領域が記録媒体のエッジを横切るときに変化し、また、その横切る速度が速くなるほど、そのレベルの変化の割合が大きくなる。このため、センサの検出領域が記録媒体のエッジを横切る速度が速くなっても、センサの検出領域が記録媒体のエッジを横切った際に変化検知信号が出力される。よって、センサの検出領域が記録媒体のエッジを横切る速度が速くなっても、記録媒体のエッジを検出することが可能となり、エッジ検出の高速化を図ることが可能になる。
【００１８】
したがって、エッジ検出の高速化および高精度化を図ることが可能になる。
【００１９】
なお、前記出力発生部は、前記センサが出力した信号のレベルの変化成分を抽出するフィルタを有することが望ましい。
【００２０】
上記発明によれば、センサの出力信号のレベル変化成分と異なる成分を除去できるので、センサの出力信号のレベル変化成分を高精度で検出することが可能になる。
【００２１】
また、本発明のプリンタ装置は上述のエッジ検出装置と、記録媒体の搬送を行う機構と、前記記録媒体に印刷を行う印刷ヘッドと、を含む。
【００２２】
また、本発明の印刷制御方法は、記録媒体の搬送を行う機構と、前記記録媒体に印刷を行う印刷ヘッドと、を含むプリンタ装置が行う印刷制御方法であって、請求項４に記載のエッジ検出方法によって前記記録媒体のエッジの位置を検出するステップと、前記エッジの位置の検出に基づいて前記印刷ヘッドの動作を制御する制御ステップと、を含む。
【００２３】
上記発明によれば、記録媒体のエッジを高速かつ高精度で検出でき、それにより、記録媒体の所定の位置に精度よく印刷を行うことが可能になる。
【発明の効果】
【００２４】
本発明によれば、記録媒体のエッジは、センサが出力した信号のレベルが変化したときに出力される変化検知信号に基づいて検出されるので、センサの出力信号のレベル差が小さいために検出できなかった記録媒体のエッジを検出することが可能となり、また、センサの検出領域が記録媒体のエッジを横切る速度が速くなっても、記録媒体のエッジを検出することが可能となる。したがって、エッジ検出の高速化および高精度化を図ることが可能になる。
【発明を実施するための最良の形態】
【００２５】
以下、本発明の実施の形態を図面に基づいて説明する。
【００２６】
図１は、本発明の実施の形態のプリンタ装置の主要構成を示すブロック図である。
【００２７】
図１において、プリンタ装置１は、例えばＡ１判やＡ０判ならびに大判ロール紙など、大判の用紙（記録媒体）を縦方向に間歇的に送っていくとともに、インクをドット噴射する印刷ヘッド６０を横方向にスキャン（走査）させながら印刷を行っていく大判用紙用のインクジェットプリンタである。
【００２８】
プリンタ装置１は、ＣＰＵ１０と、モータドライバ２０と、紙送りモータ２１と、モータドライバ３０と、キャリッジ制御モータ３１と、エッジセンサ４０と、センサ制御回路４５と、印刷ヘッド６０と、ヘッド制御部６５とを含む。
【００２９】
ＣＰＵ１０は、プリンタ装置１の全体的な制御を司る。紙送りモータ２１は、記録媒体である用紙を縦方向に送るための駆動部である。モータドライバ２０は、モータ２１の駆動を制御する。印刷ヘッド６０は、インクのドットを噴射して印刷を行う。ヘッド制御部６５は、印刷ヘッド６０からインクのドットを噴射させる。キャリッジ制御モータ３１は、搬送部の一例であり、印刷ヘッド６０およびエッジセンサ４０を横方向に送る。モータドライバ３０は、キャリッジ制御モータ３１の駆動を制御する。
【００３０】
エッジセンサ４０は、自己の検出領域に用紙がある場合に第１レベルの信号を出力し、また、その検出領域に用紙がない場合に第１レベルと異なる第２レベルの信号を出力する。エッジセンサ４０は、例えば、用紙の反射光、および、後述するプラテン５３の反射光を検出するフォトセンサなどである。センサ制御回路４５は、エッジセンサ４０が出力した信号を処理する。
【００３１】
図２は、プリンタ装置１の用紙搬送系の機構を示した模式図である。なお、図２において、図１に示したものと同一のものには同一符号を付してある。
【００３２】
図２において、用紙送りを行う機構は、グリップローラ５０と、用紙押え５１と、プラテン５３と、後述するバキュームファン５４と、巻取ドライバ５６と、巻取りモータ５７と、タルミセンサ５８と、モータ２１と、モータドライバ２０とを含む。
【００３３】
グリップローラ５０は、用紙５を押圧しながら回転することで用紙５を送る。用紙押え５１は、グリップローラ５０に向って用紙５を押圧する。
【００３４】
プラテン５３は、キャリッジ７０に設けられた印刷ヘッド６０およびエッジセンサ４０がスキャン移動する経路下に設けられ、用紙５を後述するバキュームファン５４により吸引して安定的に固定する。
【００３５】
巻取りモータ５７は、印刷後の用紙５を巻き取るための駆動部である。巻取ドライバ５６は、巻取りモータ５７を駆動する。タルミセンサ５８は、印刷後の用紙５のたるみを検出する。
【００３６】
グリップローラ５０が紙送りモータ２１により回転量を制御可能な状態で間歇的に回転駆動されることで、プラテン５３上にセットされた用紙５が縦方向に間歇送りされる。
【００３７】
プラテン５３は、光の反射量が小さい黒色の部材（例えば、無反射テープ）で覆われており、また、プリンタ装置１でサポートされている最大の用紙幅より長く形成され、用紙５がセットされた状態でプラテン５３の端が用紙５の両側方にはみ出した状態で露出される。
【００３８】
グリップローラ５０より紙搬送方向上流側には、紙の供給の有無を検出する給紙センサ５９Ａが、プラテン５３より下流側には、紙の排出の有無を検出する紙排出センサ５９Ｂが、それぞれ配設されている。
【００３９】
図３は、印刷ヘッド６０の搬送系の機構を示した模式図である。なお、図３において、図１または２に示したものと同一のものには同一符号を付してある。
【００４０】
図３において、印刷ヘッド６０は、横方向にスライド可能に構成されているキャリッジ７０に取り付けられて、キャリッジ７０が横方向にスライド移動されることでプラテン５３およびプラテン５３上にセットされた用紙５の上方を横方向にスキャン移動する。
【００４１】
また、キャリッジ７０の側端には、エッジセンサ４０が、その検出方向をプラテン５３側に向けた状態で取り付けられ、印刷ヘッド６０とともにスキャン移動する。
【００４２】
キャリッジ７０は、搬送部を構成する搬送ベルト機構７１のスチールベルト７２に固着され、搬送ベルト機構７１の回転プーリ７３がキャリッジ制御モータ３１により回転されることで、横方向にスライド移動する。
【００４３】
また、キャリッジ７０には、移動量を検出するためのリニアセンサ７５が設けられ、リニアセンサ７５は、キャリッジ７０の移動方向に沿って固定的に配設されているリニアスケール７６の検出溝を検出し、その検出溝をカウントしていくことで、キャリッジ７０の移動量を検出する。
【００４４】
リニアセンサ７５からの検出出力（カウント値）は、キャリッジ制御モータ３１のモータドライバ３０、および、印刷ヘッド６０のヘッド制御部６５に入力され、キャリッジ７０の移動量制御に使用されたり、印刷ヘッド６０のインク噴出タイミングの制御に使用されたりする。
【００４５】
また、プリンタ装置１のフレームには、ホームポジションセンサ７８が取り付けられており、ホームポジションセンサ７８がキャリッジ７０の突出片７８ａを検出することで、キャリッジ７０がホームポジションにあるか否かが検出される。
【００４６】
図４は、プリンタ装置１内のエッジ検出機構、具体的には、エッジセンサ４０とセンサ制御回路４５とＣＰＵ１０との一例を示したブロック図である。なお、図４において、図１ないし３に示したものと同一のものには同一符号を付してある。
【００４７】
エッジセンサ４０は、発光素子４０ａと、光センサ４０ｂとを含む。センサ制御回路４５は、コンデンサＣ１と、抵抗Ｒ１と、オベアンプ４５ａと、コンデンサＣ２と、抵抗Ｒ２と、コンパレータ４５ｂと、ＦＰＧＡ（Field Programmable Gate Array）４５ｃとを含む。
【００４８】
発光素子４０ａは、エッジセンサ４０の検出領域に向けて光を発する。発光素子４０ａは、抵抗Ｒ３と直列に接続されている。光センサ４０ｂは、抵抗Ｒ４と直列に接続され、エッジセンサ４０の検出領域内の物体による反射光を受光する。
【００４９】
このため、エッジセンサ４０は、光センサ４０ｂが受け付けた反射光の光量に応じたレベルの信号を端子Ａから出力する。具体的には、エッジセンサ４０は、自己の検出領域が用紙５のエッジを横切った際に、ステップ応答（用紙５なしの場合はレベル大で、用紙５ありの場合はレベル小）の信号を出力する。
【００５０】
コンデンサＣ１は、このステップ応答から交流成分（微分波形）を得る。なお、端子Ａで交流成分が生じるのは、エッジセンサ４０が用紙のエッジを横切ったときである。
【００５１】
オペアンプ４５ａは、反転入力端子（−端子）がコンデンサＣ１および抵抗Ｒ１を介して端子Ａと接続され、非反転入力端子（＋端子）が基準電圧Ｖｒｅｆ１と接続され、出力端子がコンデンサＣ２と抵抗Ｒ２の並列回路を介して反転入力端子と接続されている。オペアンプ４５ａは、コンデンサＣ１が抽出した交流成分を増幅する。オペアンプ４５ａにて増幅された交流成分は、変化検知信号として用いられる。
【００５２】
コンデンサＣ１と抵抗Ｒ１とでハイパスフィルタが形成され、コンデンサＣ２と抵抗Ｒ２とでローパスフィルタが形成される。なお、コンデンサＣ１の静電容量をｃ１、抵抗Ｒ１の抵抗値をｒ１、コンデンサＣ２の静電容量をｃ２、抵抗Ｒ２の抵抗値をｒ２とする。
【００５３】
このハイパスフィルタとこのローパスフィルタとで構成されるバンドパスフィルタの通過帯域（ｆＣＬ＝１／２πｃ１ｒ１、ｆＣＨ＝１／２πｃ２ｒ２）と、コンデンサＣ１で得られた微分波形の信号周波数とをマッチングさせることで、不要な帯域成分を除去できる。なお、微分波形の信号周波数は、キャリッジの移動速度に依存する。
【００５４】
図５は、バンドパスフィルタの通過帯域の設定例を説明するための説明図である。
【００５５】
図５に示されたように、バンドパスフィルタの通過帯域（ｆＣＬ〜ｆＣＨ）は、端子Ａでの電圧変化時の傾きに応じて設定されることが望ましい。
【００５６】
コンパレータ４５ｂは、オペアンプ４５ａの出力を、しきい値用の基準電圧Ｖｒｅｆ２と比較し、オペアンプ４５ａの出力が基準電圧Ｖｒｅｆ２より大きいと検出出力を発生する。
【００５７】
ＦＰＧＡ４５ｃは、制御部の一例であり、コンパレータ４５ｂが検出出力を発生すると、そのときのリニアセンサ７５の検出出力（カウント値）をハードウェア的に格納する。
【００５８】
ＣＰＵ１０は、ＦＰＧＡ４５ｃに格納されたリニアセンサ７５の検出出力（カウント値）を読み出すことで、用紙５のエッジの位置を認識する。
【００５９】
なお、コンデンサＣ１と、抵抗Ｒ１と、オベアンプ４５ａと、コンデンサＣ２と、抵抗Ｒ２とで形成される回路は、出力発生部４５ｄの一例となり、エッジセンサ４０が出力した信号のレベルが変化したときに、変化検知信号を出力する。
【００６０】
次に、動作を説明する。
【００６１】
図６は、図４に示したプリンタ装置の動作を説明するためのタイミングチャートである。具体的には、図６（ａ）は、エッジセンサ４０と、プラテン５３および用紙５との相対的な位置関係を示した説明図であり、図６（ｂ）は端子Ａの電圧波形、図６（ｃ）は端子Ｂの電圧波形を示し、図６（ｄ）は端子Ｃの電圧波形を示す。
【００６２】
エッジセンサ４０が、用紙５ではなくプラテン５３（無反射テープ）を検出しているときには（期間Ｔ１）、端子Ａでは高レベル（第２レベル）が維持される。このため、端子ＢおよびＣは基準電圧Ｖｒｅｆ１に保持される。
【００６３】
キャリッジ７０が移動して、エッジセンサ４０が用紙５のエッジを横切ると（タイミングＴ２）、端子Ａではステップ応答が生じる（図６（ｂ）参照）。
【００６４】
コンデンサＣ１は、このステップ応答の微分成分を抽出する（図６（ｃ）参照）。
【００６５】
この微分成分は、オペアンプ４５ａにて増幅されるが、コンデンサＣ１と抵抗Ｒ１とコンデンサＣ２と抵抗Ｒ２とで形成されるバンドパスフィルタにて、その微分成分から、エッジ検知に関する周波数成分が抽出される（図６（ｄ）参照）。
【００６６】
コンパレータ４５ｂは、オペアンプ４５ａの出力を、しきい値用の基準電圧Ｖｒｅｆ２と比較し、オペアンプ４５ａの出力が基準電圧Ｖｒｅｆ２より大きいと検出出力を発生する。
【００６７】
コンパレータ４５ｂが検出出力を発生すると、ＦＰＧＡ４５ｃは、そのときのリニアセンサ７５の検出出力（カウント値）をハードウェア的に格納する。ＣＰＵ１０は、ＦＰＧＡ４５ｃに格納されたリニアセンサ７５の検出出力（カウント値）を読み出すことで、用紙のエッジの位置を認識する。
【００６８】
ＣＰＵ１０は、エッジの位置を確認しながら、印刷ヘッド６０の動作を制御する。例えば、ＣＰＵ１０は、エッジの位置を基準に、印刷ヘッド６０の動作タイミングを決定する。
【００６９】
本実施形態によれば、用紙５のエッジは、エッジセンサ４０が出力した信号のレベルが変化したときに出力される変化検知信号に基づいて検出される。
【００７０】
このため、エッジセンサ４０の出力信号のレベル差が小さいために検出できなかった用紙（例えば、トレーシングペーパ）のエッジを検出することが可能となり、また、エッジセンサ４０の検出領域が用紙５のエッジを横切る速度が速くなっても、用紙５のエッジを検出することが可能となる。したがって、エッジ検出の高速化および高精度化を図ることが可能になる。
【００７１】
これに伴い、印刷中にエッジ位置の確認を頻繁に行うことが可能になる。
【００７２】
また、本実施形態では、エッジ検出をハードウェアにて行っている。このため、従来のように、ＣＰＵが周期的にエッジ検出を行う必要がなくなるため、エッジ検出の高速化およびＣＰＵの負荷を少なくすることが可能になる。
【００７３】
また、オペアンプ４５ａに接続されたコンデンサＣ１と抵抗Ｒ１、コンデンサＣ２と抵抗Ｒ２によって、バンドパスフィルタが形成されるため、低周波数領域ノイズ（太陽光や、商用電源（交流電源）によって明滅する照明からの外来光）、および、高周波数領域ノイズ（インバータ蛍光灯などの外来光）をカットでき、エッジ検出の精度の悪化を防止することが可能になる。
【００７４】
また、エッジ検出に用いる情報として、エッジセンサ４０の出力信号のレベル変化が使用され、エッジセンサ４０の出力信号のレベルそのものが使用されないので、エッジセンサ４０の感度のばらつきに起因する誤動作が起こりにくい。
【００７５】
なお、本発明は、上記実施形態に限られるものではなく、様々な変更が可能である。
【００７６】
例えば、上記実施形態では、エッジセンサ４０として、光センサを有するものを用いたが、エッジセンサ４０として、プラテン５３方向にある物体までの距離を検出する距離検出センサを用いてもよい。
【００７７】
また、上記実施形態では、記録媒体（メディア）用紙を用いたが、記録媒体は記録用紙に限らず適宜変更可能である。
【００７８】
また、本発明のエッジ検出装置は、インクジェットプリンタの幅方向の記録媒体のエッジの検出に適用されるのみならず、その他、記録媒体の位置特定が必要な様々な装置に有用に適用することができる。
【図面の簡単な説明】
【００７９】
【図１】本発明の実施の形態のプリンタ装置の主要構成を示すブロック図である。
【図２】プリンタ装置の用紙搬送機構の一例を示した構成図である。
【図３】プリンタ装置のキャリッジ搬送機構の一例を示した構成図である。
【図４】プリンタ装置１のエッジ検出機構の一例を示したブロック図である。
【図５】バンドパスフィルタの通過帯域の設定例を説明するための説明図である。
【図６】プリンタ装置の動作を説明するためのタイミングチャートである。
【符号の説明】
【００８０】
１      プリンタ装置
５      用紙
１０      ＣＰＵ
４０      エッジセンサ
４５      センサ制御回路
４５ａ    オペアンプ
４５ｂ    コンパレータ
４５ｃ    ＦＰＧＡ
５３      プラテン
６０      印刷ヘッド
７０      キャリッジ
Ｃ１      コンデンサ
Ｃ２      コンデンサ
Ｒ１      抵抗
Ｒ２      抵抗
【図１】
0004690215.tif 000002
【図２】
0004690215.tif 000003
【図３】
0004690215.tif 000004
【図４】
0004690215.tif 000005
【図５】
0004690215.tif 000006
【図６】
0004690215.tif 000007